(57)【特許請求の範囲】
【請求項１】
口部を密封シートで封じたカップ状の容器本体の前記口部にオーバーキャップが被せ付けられる容器での前記オーバーキャップであって、口部に被せ付けたときに前記密封シートに相対するキャップ天面板部に注出口が開口されているとともに、注出口に対応する蓋板を備えていて、その蓋板の基端がキャップ天面板部に回動可能にして支持されて、該蓋板で注出口を開閉可能に覆っているオーバーキャップにおいて、
前記注出口に、キャップ天面板部から密封シート位置に達する注出通路が連通し、
前記注出通路には、蓋板の基端側の下面に固定の開封刃移動手段にヒンジを介して連接されている開封刃が配置されていて、
前記開封刃は、蓋板の回動に伴なう前記開封刃移動手段の回動に連動し、蓋板の開き方向の回動時に前記ヒンジとは反対側の端部が密封シート位置に向けて下がる揺動板部と、この揺動板部での前記反対側の端部に位置し、前記蓋板の開き方向の回動時に密封シート位置に向けて下って密封シートを突き破る刃部とからなり、
開封刃の前記揺動板部は、注出通路内に設けたガイド溝に移動可能に係止するガイド凸部を有して、このガイド凸部を通る位置を回転軸中心として回転可能にして注出通路に支持されていて、
前記開封刃移動手段の蓋板開き方向の回動に伴なって、刃部が密封シート位置を交差するように開封刃がガイド凸部を通る前記位置を回転軸中心にして回転するとともに、前記開封刃が密封シート位置に交差した状態で密封シートを裂き開く方向に移動するように前記回転軸中心が通るガイド凸部が前記ガイド溝に案内されて移動する構成とされていることを特徴とする開封刃を備えるオーバーキャップ。
【請求項２】
上記揺動板部の回転軸中心が通る位置にある上記ガイド凸部が刃部側に偏倚していて、ガイド凸部から上記刃部までの距離が、ガイド凸部から上記開封刃移動手段までの距離より小とされている請求項１に記載の開封刃を備えるオーバーキャップ。
【請求項３】
口部を密封シートで封じたカップ状の容器本体の前記口部に請求項１または２に記載の開封刃を備えるオーバーキャップが被せ付けられていることを特徴とする容器。
【発明の詳細な説明】
【技術分野】
【０００１】
本発明は、コーヒーやジュースなどの飲料を収容した容器が備えるオーバーキャップであって、取り外さずに容器本体側の密封シートを破ることができるオーバーキャップと、このオーバーキャップが被せ付けられている容器に関するものである。
【背景技術】
【０００２】
近年においては、コーヒーやジュースなどの飲料を一回の飲み切りとはせずに数回に分けて飲みたいとの要望に応えるべく、従来の飲用缶容器よりやや内容量を大きくし、注ぎ口を開け閉めできる蓋板を備えた容器が流通するようになってきている。
【０００３】
例えば、口部を密封シートで封じたカップ状の容器本体と前記口部に被せ付けるオーバーキャップとからなる飲料用の容器がある。この種の飲料用の容器では、密封シートを破ることで開封し、その開封部分を経てオーバーキャップに開口の注出口から飲料を注出できるようにしていて、そのオーバーキャップにおいては、注出口を覆う蓋板を回動可能にして備えているとともに、開封に際して密封シートを破るための開封刃とを備えているものがある。
【０００４】
さらに、開封刃の回動機構としては特許文献１に示されているように、密封シートに相対させた開封刃をこの開封刃を内側に位置させる枠体側に回動可能に支持させるとともに、開封刃の支持位置を間にしてその開封刃とは反対側に延長された板材を設けて、その板材と蓋板の基端側とを係脱可能に連結し、蓋板側の開き方向の回動に伴なって開封刃を前記支持部中心の周りに回動させて、密封シート側に下がるようにした機構が提案されている。
【０００５】
即ち、上記開封刃を動かす機構では、蓋板を最初に開き操作した際に、蓋板の開き方向の回転に連れて上記延長の板材が位置不動の回転軸中心周りにして引き上げられるとともに、開封刃も位置不動の回転軸中心周りに回動して下がって、密封シートを突き破って開封するようにしたものであり、この開封刃を動かす機構を上記オーバーキャップについても採用できるものとなっている。
【０００６】
また、蓋板は有しないが、オーバーキャップに開封刃を回動させることができるように組み入れた簡易な構成のものが、例えば特許文献２に示されている。この特許文献２にあっては、キャップ天面板部の中央を通る径方向に凹所を構成してその凹所の一端部側を注出口とし、前記注出口の上に開封刃を位置させるとともに、開封刃の基端に相対するようにした操作レバーをその開封刃と並設させながら凹所に配したものとなっている。
【０００７】
さらに、前記開封刃はその基端をヒンジを介して凹所の底板に連結するとともに、前記操作レバーの端部を開封刃の基端に近接させた状態で凹所の底板にヒンジを介して連結していて、手操作による操作レバーの引き起こしで操作レバーが開封刃の基端を押して開封刃が回動するようにしたものであり、開封刃の回動によって密封シートが破られて開封する構成であった。
【先行技術文献】
【特許文献】
【０００８】
【特許文献１】特開２００６−００８１７８号公報
【特許文献２】特開２００７−３１４２３７号公報
【発明の概要】
【発明が解決しようとする課題】
【０００９】
密封シートの上に相対するように配置された開封刃を、蓋板側の開き方向の回動に伴なってその密封シートを破るように回動させるようにした機構については上記特許文献に限らず多く提案されているが、いずれも開封刃が位置固定の回転軸中心周りに回動して密封シートに大きな開口を形成しようとするものであるため、開封刃が回動する角度範囲を大きくなっていた。
【００１０】
その結果、上記特許文献１や２に示された両方の技術においても、開封刃の先端部分（刃先）が密封シートを突き破ってから、その先端部分に連なる側刃などが密封シートを切り裂きしながら密封シートの切り取り片を押し下げて、或る程度の広さのある破れた開口部分を密封シートに得るまでに、開封刃は大きく下げ降ろす動きをすることとなり、開封刃の先端部分における密封シートの厚さ方向の移動量が大きくなっている。
【００１１】
そして、開封刃の刃先の密封シートの厚さ方向での移動量が大きいことは、即ち容器高さ方向での移動量が大きいことであり、開封刃の刃先が下げ降ろされた位置で収容液に浸ってしまうという不具合が生じる。
【００１２】
また、上記特許文献２に示されたオーバーキャップでは、これを被せ付けてなる飲料用容器を商品とする形態では開封刃が外部に露出することとなるため、陳列販売時のイタズラ防止などを目的としたカバーを別途に用意して被せ付ける必要がある。勿論、蓋板を有しないことから注出口を覆う機能はなく、商品購入者が飲料を複数回に飲み分けすることが予想される商品には不向きのオーバーキャップとなっていた。
【００１３】
そこで本発明は、蓋板を開き方向に回動させることで開封刃が密封シートを破って開封するオーバーキャップにおいて、開封刃先端のキャップ高さ方向（容器高さ方向）での下方への移動量を小さくしながら密封シートを破り開けるようにして、開封刃が内容物に触れることのないようにすることを課題とし、容器本体側の密封シートを衛生的に破り開けることのできるオーバーキャップを被せた容器を提供することを目的とするものである。
【課題を解決するための手段】
【００１４】
（請求項１の発明）
本発明は上記課題を考慮してなされたもので、口部を密封シートで封じたカップ状の容器本体の前記口部にオーバーキャップが被せ付けられる容器での前記オーバーキャップであって、口部に被せ付けたときに前記密封シートに相対するキャップ天面板部に注出口が開口されているとともに、注出口に対応する蓋板を備えていて、その蓋板の基端がキャップ天面板部に回動可能にして支持されて、該蓋板で注出口を開閉可能に覆っているオーバーキャップにおいて、
前記注出口に、キャップ天面板部から密封シート位置に達する注出通路が連通し、
前記注出通路には、蓋板の基端側の下面に固定の開封刃移動手段にヒンジを介して連接されている開封刃が配置されていて、
前記開封刃は、蓋板の回動に伴なう前記開封刃移動手段の回動に連動し、蓋板の開き方向の回動時に前記ヒンジとは反対側の端部が密封シート位置に向けて下がる揺動板部と、この揺動板部での前記反対側の端部に位置し、前記蓋板の開き方向の回動時に密封シート位置に向けて下って密封シートを突き破る刃部とからなり、
開封刃の前記揺動板部は、注出通路内に設けたガイド溝に移動可能に係止するガイド凸部を有して、このガイド凸部を通る位置を回転軸中心として回転可能にして注出通路に支持されていて、
前記開封刃移動手段の蓋板開き方向の回動に伴なって、刃部が密封シート位置を交差するように開封刃がガイド凸部を通る前記位置を回転軸中心にして回転するとともに、前記開封刃が密封シート位置に交差した状態で密封シートを裂き開く方向に移動するように前記回転軸中心が通るガイド凸部が前記ガイド溝に案内されて移動する構成とされていることを特徴とする開封刃を備えるオーバーキャップを提供して、上記課題を解消するものである。
【００１５】
（請求項２の発明）
また、本発明は、上記揺動板部の回転軸中心が通る位置にある上記ガイド凸部が刃部側に偏倚していて、ガイド凸部から上記刃部までの距離が、ガイド凸部から上記開封刃移動手段までの距離より小とされていることが良好である。
【００１６】
（請求項３の発明）
また、もう一つの発明は、口部を密封シートで封じたカップ状の容器本体の前記口部に上記開封刃を備えるオーバーキャップが被せ付けられていることを特徴とする容器であり、この容器を提供して上記課題を解消するものである。
【発明の効果】
【００１７】
（請求項１の発明の効果）
請求項１の発明によれば、蓋板を開く操作をすることで、開封刃が、この開封刃の揺動板部におけるガイド凸部の位置を回転軸中心として開封刃先端である刃部を下方に下ろす回転をしながら開封刃全体が密封シート位置に交差して密封シートを裂き開きする方向に移動するようになる。即ち、従来の技術のように開封刃が基端を位置固定の回転中心として刃部が振れる範囲が大きくなった状態で移動するものではなく、開封刃のその基端位置から離れている上記ガイド凸部の位置を回転軸中心として開封刃が回転するため、刃部の振れ範囲が小さくなる。
【００１８】
このように、回転中心の高さ位置に対して刃部のキャップ上下方向において下がる移動量が小さく設定でき、オーバーキャップを容器本体の口部に取り付けて蓋板を開く操作をすれば、蓋板を開く方向に回動させて開封刃によって密封シートを破るようにしても、その開封刃が収容液に接触しないようにすることができて衛生的である。
【００１９】
（請求項２の発明の効果）
請求項２の発明によれば、本オーバーキャップを容器本体に取り付けて開封するに際し、開封刃での密封シートを裂き破る部分に近い位置であるガイド凸部の位置で開封刃を支えることとなり、密封シートをより確実に開封できるようになる。
【００２０】
（請求項３の発明の効果）
請求項３の発明によれば、オーバーキャップの蓋板を開く操作をすれば、開封刃によって容器本体の口部を封じる密封シートを破って開封されるとともに、密封シートが破られた状態であっても蓋板で注出口を閉じることができるので、再封性のある容器となって衛生的である。
【図面の簡単な説明】
【００２１】
【図１】本発明に係る第一の例におけるオーバーキャップを取り付けた容器を斜視の状態で示す説明図である。
【図２】第一の例を示すもので、図上半分は上方から見た状態を示し、図下半分が下方から見た状態を示す説明図である。
【図３】第一の例を図４のＡ−Ａ線に沿った断面での半面を示す説明図である。
【図４】第一の例における蓋板閉時をキャップ径方向に沿った断面で示す説明図である。
【図５】第一の例において蓋板を開き方向に回動させた状態をキャップ径方向に沿った断面で示す説明図である。
【図６】同じく第一の例において蓋板を開き方向に回動させた状態をキャップ径方向に沿った断面で示す説明図である。
【図７】第二の例を斜め上方から見た状態を示す説明図である。
【図８】第二の例を斜め下方から見た状態で示す説明図である。
【図９】第二の例における蓋板閉時をキャップ径方向に沿った断面で示す説明図である。
【図１０】同じく第二の例において蓋板を開き方向に回動させた状態をキャップ径方向に沿った断面で示す説明図である。
【図１１】同じく第二の例において蓋板を開き方向に回動させた状態をキャップ径方向に沿った断面で示す説明図である。
【図１２】同じく第二の例において蓋板を開き方向に回動させた状態をキャップ径方向に沿った断面で示す説明図である。
【発明を実施するための形態】
【００２２】
（第一の例）
つぎに本発明を図１から図１２に示す実施の形態に基づいて詳細に説明する。図中１はコーヒーやジュースなどの飲料を収容した容器であり、該容器１は口部２を密封シート３で封じたカップ状の容器本体４と、この容器本体４を口部２に対して密封シート３の上から被せ付けられたオーバーキャップ５とからなるものである。そして、前記口部２を封じている密封シート３は、ストロー先端などでの突き刺し、尖頭形の用具による裂きや破りが可能とされたものであり、後述するようにオーバーキャップ５側に構成された機構によって密封シート３を破って開封し、収容された飲料を注出できるようにしている（図１、図５参照）。
【００２３】
上記オーバーキャップ５は、図４に示されているように容器本体４に被せ付けることで容器本体４の上部、即ち密封シート３の位置に相対することとなるキャップ天面板部６と、容器本体４の口縁部に密封シート３を挟み込んで嵌め付ける取付段部７を下部とするとともに上縁を前記キャップ天面部６に連続させているキャップ周壁部８とからなるもので、キャップ天面板部６とキャップ周壁部８とは例えば合成樹脂材によって一体に形成されている。
【００２４】
（注出口）
キャップ天面板部６には図１に示すように中央から径方向の一端側にしてキャップ周壁部８の上縁に一辺を沿わせるようにした注出口９が開口されている。また、注出口９からキャップ天面板部中央側に亘る部分を段落ちさせてなる部分に、キャップ天面板部６に対して取付固定とした支持部１１を位置させて、注出口９に対応する蓋板１２が設けられている。
【００２５】
（蓋板）
蓋板１２は上記支持部１１にヒンジ１３を介して支持された状態で注出口９を開閉可能に覆う部材であり、上述したように前記支持部１１をキャップ天面板部６の段落ちした位置に固定とすることで、蓋板１２がヒンジ１３を介してキャップ天面板部６に回動可能にして連接された構成としている。図示の例では支持部１１の下面にボス１１ａを設け、これをキャップ天面板部６の段落ち部に穿設の取付孔６ａに嵌め込むことで固定しているが、固定の方法がこの構造に限定されるものではない。図２参照
【００２６】
（注出通路）
また、本オーバーキャップ５にあっては、キャップ天面板部６の位置から密封シート３が配置されることとなる密封シート位置１４に亘るようにした注出通路１５を有している。この注出通路１５は、キャップ天面板部６の下面から前記密封シート位置１４に達するように下垂された三方の縦壁１６とキャップ周壁部８とで注出口下の空間を囲んでなる部分であり、注出口９に連通している。
【００２７】
（開封刃）
上記注出通路１５の空間には、密閉シート位置１４に配される上記密閉シート３を突き破って裂き広げるための開封刃１７が位置していて、密閉シート３と相対するように配置されている。そして、この開封刃１７は上記蓋板１２の回動に連動して動くように設けられているものである。
【００２８】
例えば図４に示されているように蓋板１２の基端側の下面（注出口を閉じたときに密封シート３に面する片面）に蓋板厚さ方向にして密封シート位置側に向けて延設された板状の開封刃移動手段１８にヒンジ１９を介して連接されて、蓋板１２の基端側で固定となっている前記開封刃移動手段１８に対して相対的に開封刃１７が回動できるように設けられており、蓋板１２の開き方向の回動に伴なって前記開封刃移動手段１８が蓋板開き方向に回動すれば、開封刃１７の開封刃移動手段１８がキャップ高さ方向上方に向けて上がる動きをするとともに、開封刃１７の先端側（開封刃移動手段とは反対側）がキャップ高さ方向下方に向けて下がる動きをし、開放された注出口を閉じるように蓋板１２の開き方向の回動に伴なって開封刃移動手段１８が蓋板閉じ方向に回動すれば、開き時とは逆の動きをするようにしているものである。
【００２９】
開封刃１７は、開封刃移動手段１８に上記ヒンジ１９を介して連接している揺動板部２０と、この搖動板部２０での前記開封刃移動手段１８側の端部とは反対側の端部である開封刃先端（自由端）に位置する刃部２１とからなるものである。この実施の例において前記揺動板部２０にあっては、開封刃移動手段１８側をヒンジ２２を介して回動可能とした回動板部２３を有している。この回動板部２３を有する揺動板部２０は開封刃移動手段１８にヒンジ１９を介して直接的に連接されているものであるので、上述したように開封刃移動手段１８が蓋板開き方向に回動する時には、回動板部２３での折れを生じさせながら開封刃移動手段側が上方に向けて移動することとなり、開封刃移動手段１８の反対側の端部（開封刃先端の刃部）は密封シート位置１４に向けて下がるものとなる。
【００３０】
上記揺動板部２０の側辺部分それぞれには下方に向けた側刃部２４が設けられており、開封刃１７の先端である上記刃部２１と連続している。この側刃部２４がある揺動板部２０の側辺部分には、注出通路１５を形成して開封刃１７を間にして相対する縦壁１６に開封刃１７を支持させるためのガイド凸部２５が揺動板部２０の幅方向に凸となるようにして突設されている。
【００３１】
（ガイド凸部）
開封刃１７を支持する対の縦壁１６それぞれには、キャップ径方向に沿った方向を長手とする長溝状のガイド溝２６が設けられていて、上記ガイド凸部２５それぞれがこのガイド溝２６に軸回転可能にして且つ移動可能にして係止している。これによって開封刃１７は、対向した縦壁１６の間においてガイド溝２６に係止するガイド凸部２５を通る位置を回転軸中心２７にして回転可能に支持されているとともに、ガイド溝２６に沿った方向に移動できるように支持されている。なお、この実施の例においてガイド溝２６が縦壁１６を貫通する孔として形成されている。図３参照
【００３２】
開封刃１７は、揺動板部２０の下面が密封シート位置１４に面するように伏したままでガイド溝２６に沿った方向に移動するものではなく、注出口９を閉じていた蓋板１２を起こすように開き方向に回動させ始める時点では、この蓋板１２の開き方向の回動に伴なって上記開封刃移動手段１８も蓋板開き方向に回動し、この開封刃移動手段１８にヒンジ１９を介して連接の揺動板部２０が、ガイド溝２６に沿った移動を殆ど行なわない状態で上記回転軸中心２７回りに回転し、刃部２１が密封シート位置１４に向けて下りてその密封シート位置１４に交差する状態で開封刃１７が傾斜することとなる。
【００３３】
そして、蓋板開き方向の回動をさらに進める上記開封刃移動手段１８は、開封刃１７が回転軸中心２７回りに回転する開封刃１７をその開封刃１７が密封シート位置１４に交差した状態でキャップ中央側に向けて移動させる手段となっているものであり、前記開封刃移動手段１８は、開封刃１７が密封シート３を裂き開く方向に進むようにガイド凸部２５をガイド溝２６に案内させて移動させ、これによって密封シート３の一部分を突き破っていた開封刃１７が横方向に引き寄せられるようにして移動し、密封シート３が裂き開かれて開封されることとなる。
【００３４】
（未開封時）
上記オーバーキャップ５を容器本体４に取り付けた容器１において密封シート３を裂き開いて開封する操作が図４から図６に示されている。図４に示すように未開封の時点では閉じた蓋板１２から開封刃移動手段１８が下方に向けて下がる位置にあるとともに、開封刃１７における揺動板部２０の回動板部２３が起きた状態となっており、キャップ高さ方向に並ぶように連接している開封刃移動手段１８と回動板部２３とで、刃部２１が密封シート３に接触しない開封刃１７の傾斜状態を維持している。
【００３５】
なお、未開封の時点で、仮に開封刃移動手段１８と回動板部２３との間のヒンジ１９の位置で曲がることがあったとしても、刃部２１が下りて密封シート３に接触するだけであり、密封シート３が刃部２１で突き破られることはない。
【００３６】
（密封シートの突き破り）
蓋板１２を開き方向に回動させると、図５に示すように開封刃移動手段１８も蓋板開き方向に回動する。揺動板部２０における開封刃移動手段側の回動板部２３は、開封刃移動手段１８をスムーズに回動させるようにするために曲がりと開きとが行なわれるようにしているものであり、開封刃移動手段１８の蓋板開き方向に回動し始めると、回動板部２３は開封刃自体に対して少しながらも相対的に回動することがあり、また開封刃移動手段１８に対して相対的に回動する。そして、開封刃移動手段１８の蓋板開き方向の動きにより開封刃１７が回転軸中心２７回りに回転し、刃部２１が下りて密封シート３を突き破る。
【００３７】
（密封シートの裂き開き）
開封刃移動手段１８の蓋板開き方向の回動が進むことで開封刃１７の回転軸中心２７回りでの回転が進むとともに、前記開封刃移動手段１８側から加わる引き上げの力が、前記回転軸中心２７が通るガイド凸部２５をガイド溝２６に沿って移動させるように働くようになり、密封シート３を突き破っている状態の開封刃１７がその密封シート３を裂き開く方向に移動する。図５参照
【００３８】
そして、蓋板１２をキャップ天面板部６の上面に重なる位置まで回動させることで、開封刃１７が回転軸中心２７回りでさらに回転することとなるとともに、ガイド凸部２５がガイド溝２６の端部に当接して移動が停止し、密封シート３に対する裂き開きが終了する。図６参照
【００３９】
上述したように開封刃１７は開封刃自体の基端ではなく揺動板部２０の側辺部分に突設のガイド凸部２５の位置を回転軸中心２７として回転するようにしているので、刃部２１におけるキャップ高さ方向に振れ幅が小さくなる。そのため、開封刃１７が密封シート３を裂き開きしても刃部２１が容器本体内に深く入り込むことがなく、収容している液体との接触を避けることができる。
【００４０】
さらに、上記実施の例においては、上記ガイド凸部２５が刃部２１側に偏倚していて、ガイド凸部２５から刃部２１までの距離Ｘ１が、ガイド凸部２５から開封刃移動手段１８までの距離Ｘ２より小となるように設けられている。即ち、開封刃１７において、回転軸中心２７が刃部２１に寄った位置にあり、回転軸中心２７の位置から刃部２１の位置までの距離が、回転軸中心２７の位置から開封刃移動手段１８の位置までの距離より短くなるように設けられている。
【００４１】
これによって密封シート３を突き破るときや裂き開きするときの刃部２１の動きがコンパクトなものになって刃部２１のキャップ高さ方向に振れ幅を小さくし、密封シート３を裂き開くための移動距離を確保したまま、収容している液体との接触をより一層避けることができる構造とすることができる。
【００４２】
（第二の例）
上述したように第一の実施の例では揺動板部２０が開封刃移動手段１８側に回動板部２３を備えていて、蓋板１２が開き方向に回動し始めるときに、ガイド凸部２５がガイド溝２６の端部（キャップ周壁部側）に当接した開封刃１７が回転できるように前記回動板部２３が立ちあがった状態としており、開封刃１７がキャップ径方向での外方に向けて移動しない際にもこの回動板部２３の位置での揺動板部２０の屈曲と展開によって開封刃移動手段１８の回動がスムーズに行なわれるようにしている。しかしながら、本発明は回動板部２３を備えるものに限定されない。その他の例として第二の実施の例が図７から図１２に示されている。
【００４３】
（開封刃移動手段）
第二の実施の例にあっては、蓋板１２の基端側の下面に固定とされている開封刃移動手段１８が断面鈎形の形状に形成されていて、蓋板閉時の状態で開封刃１７との連接部分であるヒンジ１９の位置が、蓋板１２の基端位置より支持部１１の下方（キャップ天面板部における段落ち箇所の下方）となるように設定している。図９参照
【００４４】
（開封刃）
開封刃移動手段１８に連接の開封刃１７は上記実施の例と異なって揺動板部２０には上記回動板部が存在せず、揺動板部２０における開封刃移動手段１８との連接側とは反対の部分（開封刃先端）が上方に向けて屈曲した断面形状とされていてここに刃部２１が形成されている。なお、開封刃１７の基端の側部それぞれには下垂した第二の刃部２８が設けられている。図７、図９参照
【００４５】
第二の実施の例では上述したように開封刃移動手段１８の開封刃１７との連接部分（ヒンジ１９の位置）を、蓋板１２の閉時の状態においてその蓋板１２に対応する位置とは反対側の位置にしてキャップ天面板部下面に近接した箇所となるようにしていて、開封刃１７自体もキャップ天面板部６の高さ位置に近接する高さ位置に配置されるようにしていて、上記第一の例のように密封シート位置１４に接近した高さ位置で配置されるものとはなっていない。
【００４６】
（ガイド溝）
また、開封刃１７のガイド凸部２５が移動可能にして係止する上記ガイド溝２６は、図示されているようにキャップ天面板部６の高さ位置に近接し、且つ蓋板１２の基端側となる位置から、注出通路でのキャップ周壁部８の下端側に向けて傾斜し、上記密封シート位置１４に近接する高さ位置までに亘って設けられている。
【００４７】
このようにガイド溝２６の一端が、キャップ天面板部６の高さ位置に近接して、且つ蓋板１２の基端側となる位置にあり、その位置からキャップ周壁部８の下端側に向けて延びるように傾斜して設けられているので、蓋板１２の閉時にキャップ天面板部６の高さ位置に近接した位置にある開封刃１７は、蓋板１２の開き方向の回動に伴なう開封刃移動手段１８の蓋板開き方向の回動により密封シート位置１４に達するように下がり移動し、続けて開封刃移動手段１８の蓋体開き方向の回動を進めることで、第一の例と同様に開封刃１７が回転軸中心２７回りに回転して刃部２１が密封シート位置１４に交差するように下がり、さらに蓋板１２を開き方向に操作して開封刃移動手段１８の蓋板開き方向の回動が進むことで、密封シート位置１４に交差した刃部２１が密封シート裂き開き方向に移動するようにガイド凸部２５がガイド溝２６に案内されながら、前記一端であるキャップ天面板部６の高さ位置に近接し且つ蓋板１２の基端側となる位置に向けて移動するものとしている。
【００４８】
（未開封）
このオーバーキャップ５を取り付けた容器１での開封について説明すればつぎの通りである。図９は未開封の状態を示していて、上述したように開封刃移動手段１８自体がキャップ天面板部６の高さ位置に近接してヒンジ１９の部分が蓋板１２とは反対側に位置するとともに、傾斜したガイド溝２６の一端がキャップ天面板部の高さ位置に近接し、且つ蓋板１２の基端側に寄った位置にあって、その一端にガイド凸部２５が位置するようにしているので、開封刃１７全体がキャップ天面板部６の高さ位置に近接した位置に配置され、密封シート３には接触しない。
【００４９】
（密封シートの突き破り）
蓋板１２が開き方向に回動し始めるときには、図１０に示すように開封刃移動手段１８が蓋板開き方向に回動して、キャップ天面板部６の高さ位置に近接した位置にあったヒンジ１９の部分が下がる方向に回動をするので、揺動板部２０の前記ヒンジ１９側の端部が開封刃移動手段１８に連動して下がる移動をする。また、開封刃１７の刃部２１側によった状態で側辺部にあるガイド凸部２５が傾斜したガイド溝２６に案内されて下がるようになる。開封刃移動手段１８がキャップ天面板部６側から蓋板開き方向に回動し始めて最下点に近付くまでの範囲では、開封刃１７はほとんど回転せず、刃部２１がキャップ周壁部の下端側に向かうように斜め下方に移動する。
【００５０】
上述したように開封刃１７は第二の刃部２８を基端側に有しており、開封刃１７が密封シート位置１４に向けてガイド溝２６に案内されながら斜め方向に下がる時点で前記第二の刃部２８が先に密封シート３に接触してこれを突き破るように設けられている。この第二の刃部２８での突き破りで密封シート３に二つの裂け目が先に形成され、後の裂き開きが前記裂け目に連続して大きな開口が得られ易くしている。図８、図１０参照
【００５１】
そして、開封刃移動手段１８の蓋板開き方向の回動が進んでガイド凸部２５がガイド溝２６の他端（キャップ周壁部下端側）に達するときに、回転軸中心２７回りに刃部２１が回動するように開封刃１７が回転して、前記刃部２１が密封シート３を突き破ることとなる。図１１参照
【００５２】
（密封シートの裂き開き）
さらに開封刃移動手段１８の蓋板開き方向の回動が進むと、開封刃１７の回転軸中心２７回りでの回転が進むとともに、開封刃移動手段１８側から加わる引き上げの力が、回転軸中心２７が通るガイド凸部２５をガイド溝２６に沿って移動させるように働くようになり、密封シート３を突き破っている状態の開封刃１７がその密封シート３を裂き開く方向に移動する。このとき開封刃１７がガイド溝２６に案内されて斜め上方（蓋板側）に移動するが、密封シート３を裂く状態が維持されており、開封刃１７が裂き開き方向に移動するようになっている点には変わりがない。
【００５３】
そして、蓋板１２をキャップ天面板部６の上面に重なる位置まで回動させることで、開封刃１７が回転軸中心２７回りでさらに回転するとともに、ガイド凸部２５がガイド溝２６の上記一端に達して移動が停止し、密封シート３に対する裂き開きが終了する。図１２参照
【００５４】
この第二の実施の例において、オーバーキャップ５の組み立て操作性を考慮してガイド溝２６の上端側は開放されているが、ガイド凸部２５が上限界位置にあるときにもガイド溝２６に対応しており、ガイド溝２６から上方に外れでることはない。
【００５５】
さらに、第一の実施の例と同様に、開封刃１７においてガイド凸部２５は刃部２１側に偏倚していて、回転軸中心２７の位置が刃部２１に寄った位置にあり、回転軸中心２７の位置から刃部２１の位置までの距離（Ｘ１）を回転軸中心２７の位置から開封刃移動手段１８の位置までの距離（Ｘ２）より短くなるようにしている点は同じである。
【００５６】
これによって密封シート３を突き破るときや裂き開きするときの刃部２１の動きがコンパクトなものになって刃部２１のキャップ高さ方向に振れ幅を小さくし、密封シート３を裂き開くための移動距離を確保したまま、収容している液体との接触をより一層避けることができる。
【符号の説明】
【００５７】
１…容器
２…口部
３…密封シート
４…容器本体
５…オーバーキャップ
６…キャップ天面板部
９…注出口
１１…支持部
１２…蓋板
１３…ヒンジ
１４…密封シート位置
１５…注出通路
１６…縦壁
１７…開封刃
１８…開封刃移動手段
１９…ヒンジ
２０…揺動板部
２１…刃部
２２…ヒンジ
２３…回動板部
２４…側刃部
２５…ガイド凸部
２６…ガイド溝
２７…回転軸中心
２８…第二の刃部
Ｘ１…ガイド凸部から刃部までの距離
Ｘ２…ガイド凸部から開封刃移動手段までの距離
【図１】
0006459265.tif 000002
【図２】
0006459265.tif 000003
【図３】
0006459265.tif 000004
【図４】
0006459265.tif 000005
【図５】
0006459265.tif 000006
【図６】
0006459265.tif 000007
【図７】
0006459265.tif 000008
【図８】
0006459265.tif 000009
【図９】
0006459265.tif 000010
【図１０】
0006459265.tif 000011
【図１１】
0006459265.tif 000012
【図１２】
0006459265.tif 000013